(57)【特許請求の範囲】
【請求項１】
一方に開閉自在な開口を有する包装箱と、
円板状の基板部を有する照明器具本体と該照明器具本体を天井面へ着脱自在に装着するための取付アダプタと該照明器具本体に装着されるセードとからなる照明器具を、前記包装箱内に拘束状態に保持する拘束保持具とを備える包装装置であって、
前記拘束保持具は、前記包装箱の底面板上に載置固定される主仕切り板と、該主仕切り板の中央に嵌合固定され、前記取付アダプタを固定する包装用アダプタとで構成され、
前記照明器具は、前記包装用アダプタに前記取付アダプタを固定し、前記取付アダプタと前記照明器具本体とを固定した状態で包装されることを特徴とする照明器具の包装装置。
【請求項２】
前記主仕切り板は、前記包装箱の底面上に載置固定される下壁部と、該下壁部に折り目を介して連設される、セード固定用の側壁部とで構成されることを特徴とする請求項１に記載の照明器具の包装装置。
【請求項３】
前記主仕切り板の側壁部は、上端が中央寄りに向かう傾斜姿勢に固定されることを特徴とする請求項２に記載の照明器具の包装装置。
【請求項４】
前記主仕切り板の側壁部は、前記下壁部に折り目を介して連設される立ち上がり部と、該立ち上がり部に折り目を介して左右一対に連設される翼状部とで構成され、該翼状部は前記下壁部と連設される係止部によって、中央寄りに傾斜姿勢に固定されることを特徴とする請求項２又は請求項３に記載の包装装置。
【請求項５】
前記包装箱は、フラップを重複させて封止する開口部を側部に設けており、前記拘束保持具は、前記側壁部が形成されていない側面を前記開口部に対向して配置したことを特徴とする請求項２乃至請求項４のいずれか一項に記載の包装装置。
【請求項６】
前記包装用アダプタは、円柱状に形成された取付アダプタの円周を囲うように、間隔を空けて配置され、前記取付アダプタと係合する部分を有する複数の取付アダプタ把持部と、該取付アダプタの下部に配置される取付アダプタ支持部とで構成されることを特徴とする請求項１乃至請求項５のいずれか一項に記載の照明器具の包装装置。
【発明の詳細な説明】
【技術分野】
【０００１】
本発明は、照明器具を包装箱の内部に拘束保持する包装装置の技術に関する。
【背景技術】
【０００２】
従来、円環状蛍光管が装着されてなる照明器具本体と、該照明器具本体に装着されるセードとからなる照明器具の包装は、包装箱と、照明器具を包装箱内に拘束保持するための、拘束保持具によって行われていた。
【特許文献１】特開２００６−６２６５８号公報
【発明の開示】
【発明が解決しようとする課題】
【０００３】
特許文献１の照明器具包装装置は、包装箱の中央に固定した固定具を、照明器具本体の中央に貫入させ、該固定具に抜け止め具を取り付けることで、照明器具本体を包装箱内に固定するものである。よって、照明器具を天井に取り付けたような状態、すなわち、照明器具を天井に取り付けるための取付アダプタを、照明器具本体の中央に配置した状態で包装することができない。
【０００４】
そこで、照明器具を天井に取り付けたような状態で包装する場合には、図９乃至図１１に示したような包装装置１０１を用いていた。図９乃至図１１に示した包装装置１０１は、包装箱１０３と、照明器具１０４の照明器具本体１１１を固定するための拘束保持具１０５と、緩衝筒１２０で構成される。前記拘束保持具１０５には、図１１に示したように、対角線上に折り目１０６と切り欠き１０７が設けられており、折り曲げられた二つの拘束保持具１０５・１０５の、切り欠き１０７・１０７部分同士で、照明器具本体１１１を挟んで、照明器具本体１１１を包装箱１０３内に固定する。しかし、このような包装装置１０１は、照明器具本体１１１を外側から固定するため、包装箱１０３内の空間が多く、また、必要とされる材料が多いという不具合が生じていた。
【課題を解決するための手段】
【０００５】
本発明の解決しようとする課題は以上の如くであり、次にこの課題を解決するための手段を説明する。
【０００６】
即ち、請求項１においては、一方に開閉自在な開口を有する包装箱と、円板状の基板部を有する照明器具本体と該照明器具本体を天井面へ着脱自在に装着するための取付アダプタと該照明器具本体に装着されるセードとからなる照明器具を、前記包装箱内に拘束状態に保持する拘束保持具とを備える包装装置であって、前記拘束保持具は、前記包装箱の底面板上に載置固定される主仕切り板と、該主仕切り板の中央に嵌合固定され、前記取付アダプタを固定する包装用アダプタとで構成され、前記照明器具は、前記包装用アダプタに前記取付アダプタを固定し、前記取付アダプタと前記照明器具本体とを固定した状態で包装されるものである。
【０００７】
請求項２においては、前記主仕切り板は、前記包装箱の底面上に載置固定される下壁部と、該下壁部に折り目を介して連設される、セード固定用の側壁部とで構成されるものである。
【０００８】
請求項３においては、前記主仕切り板の側壁部は、上端が中央寄りに向かう傾斜姿勢に固定されるものである。
【０００９】
請求項４においては、前記主仕切り板の側壁部は、前記下壁部に折り目を介して連設される立ち上がり部と、該立ち上がり部に折り目を介して左右一対に連設される翼状部とで構成され、該翼状部は前記下壁部と連設される係止部によって、中央寄りに傾斜姿勢に固定されるものである。
【００１０】
請求項５においては、前記包装箱は、フラップを重複させて封止する開口部を側部に設けており、前記拘束保持具は、前記側壁部が形成されていない側面を前記開口部に対向して配置したものである。
【００１１】
請求項６においては、前記包装用アダプタは、円柱状に形成された取付アダプタの円周を囲うように、間隔を空けて配置され、前記取付アダプタと係合する部分を有する複数の取付アダプタ把持部と、該取付アダプタの下部に配置される取付アダプタ支持部とで構成されるものである。
【発明の効果】
【００１２】
本発明の効果として、以下に示すような効果を奏する。
【００１３】
請求項１においては、照明器具を天井に取り付けた状態、すなわち安定した状態で、照明器具を包装箱内に拘束保持することができる。また、包装箱の中央で照明器具を固定することで、照明装置を外側から固定する場合に比べて、使用する材料を少なく構成することができる。
【００１４】
請求項２においては、拘束保持部の主仕切り板を、一枚で構成することができる。
【００１５】
請求項３においては、セードを、内側に向かう傾斜姿勢に立設される側壁部によって、押さえつけて固定することができる。
【００１６】
請求項４においては、セードの包装箱内における遊び部分をなくすことができる。よって、包装箱がどのように置かれた場合でも、セードが包装箱内において傾くことがなく、包装箱内でセードが傾くことで、セードの一部に荷重がかかり、セードが変形することを防止することができる。また、このように、傾斜した姿勢の側壁部によって、包装箱の上部からかかる力を、包装箱下部の隅に、分散して導くことができる。すなわち、側壁部によってセードに過度な荷重がかかることを、防止することができる。また、包装箱の隅に、空間ができるため、外力が加わった際に、該空間が外力を受け止めて、包装箱が変形することで、内部に収納される照明器具を保護することができる。また、このように構成される包装装置を使用した場合、照明器具の固定が容易で、固定する箇所が少ないため、照明器具の包装工数を削減することができる。よって、包装作業の効率が向上する。
【００１７】
請求項５においては、包装箱のフラップのない部分に、主仕切り板の側壁部が配置されることとなるため、該側壁部と包装箱とで二重の壁が構成される。また、側壁部のない部分は、フラップが二重に重なり、二重の壁を構成される。よって、照明器具の周囲を囲う包装装置の四面全てに、二重の壁が配置されることとなり、包装装置全体の強度を確保することができる。
【００１８】
請求項６においては、取付アダプタは、包装用アダプタに嵌合するとともに、該取付アダプタ把持部と係合するので、包装用アダプタから抜けたり、包装用アダプタ内で回転等することがない。
【発明を実施するための最良の形態】
【００１９】
次に、発明の実施の形態を説明する。
図１は本発明の一実施例に係る包装装置の斜視図、図２は同じく分解斜視図、図３は主仕切り板の斜視図である。図４は包装用アダプタに取付アダプタを取り付けた状態を示した図である。図５は照明器具に拘束保持具を取り付ける状態を示した側面図、図６は照明器具に拘束保持具を取り付けた状態を示した側面図である。図７は照明器具を拘束保持具の中央に固定する状態を示した側面図、図８は照明器具を拘束保持具の中央に固定した状態を示した断面図である。
【００２０】
図１に示したように、包装装置１は、フラップ４３・４３を重複させて封止する開口２を有する包装箱３と、照明器具４を前記包装箱３内に拘束状態に保持する拘束保持具５とで構成されている。拘束保持具５は、図１、図２に示したように、包装箱３の底面３ａ上に載置される主仕切り板７と、該主仕切り板７の中央に嵌合固定される包装用アダプタ８によって構成されている。
【００２１】
この包装装置１により、包装保持される照明器具４は、図２に示したように、円板状の基板部９に、大小の円環状蛍光管１０が装着された照明器具本体１１と、該照明器具本体１１に着脱自在に装着される比較的柔らかい合成樹脂からなるセード１２と、前記照明器具本体１１を天井面へ着脱自在に装着するための取付アダプタ１３とで構成されている。照明器具本体１１の基板部９の中央には、上方に突出し、上面中央に孔部９ａを有する凸部９ｂが形成されており、前記取付アダプタ１３は、照明器具本体１１の前記孔部９ａにに嵌合固定される。そして、図５乃至図８に示したように、照明器具本体１１の下部には、緩衝材としてのスポンジ１７が取り付けられている。
【００２２】
図４または図７、図８に示したように、略円柱状に形成された取付アダプタ１３の側面には、前記照明器具本体１１を着脱自在に嵌合する、一対の嵌合片１４・１４が突出しており、前記嵌合片１４・１４は円周に沿って等間隔に配置されて、取付アダプタ１３外側に向けてスライド可能な一対の掴み片１５の操作により、取付アダプタ１３内部に収納される構成となっている。前記嵌合片１４・１４は、取付アダプタ１３側面より突出する方向に付勢されており、前記嵌合片１４・１４は、上辺１４ａと下片１４ｂとで、側面視略コの字形状に形成されており、上辺１４ａ又は下片１４ｂによって、照明器具本体１１を支持する構成としている。
【００２３】
図２に示したように、前記包装装置１の、拘束保持具５の主仕切り板７は、下壁部１８と、該下壁部１８に折り目１９を介して連設される左右一対の側壁部２０・２０とからなり、一枚のダンボールによって一体的に構成されている。前記側壁部２０は、前記下壁部１８に折り目１９を介して連設される立ち上げ部２３と、該立ち上げ部２３に折り目２２を介して連設される左右一対の翼状部２４・２４とで構成されている。
【００２４】
前記主仕切り板７において、下壁部１８と、側壁部２０・２０との間に設けられた折り目１９の両端には、切り込み２１・２１が設けられている。前記立ち上げ部２３と翼状部との間の折り目２２は、該切り込み２１・２１の端部から、側壁部２０側に向けて形成されている。
【００２５】
また、下壁部１８の四隅には、四隅を面取りする折り目２５・２５・２５・２５が設けられている。図３に示したように、下壁部１８は、四隅の折り目２５・２５・２５・２５において上方に折り曲げられて、前記折り目２５・２５・２５・２５に沿って立設された側壁部２０・２０の翼状部２４・２４・２４・２４と重ね合わされて、係止される構成となっている。
【００２６】
すなわち、前記折り目２５に沿って立設された折り曲げ部２６と、翼状部２４とには、開口側が狭くなった略コの字型の切り込み２７・４４が形成されている。翼状部２４の切り込み部をコの字の開口部分で折り曲げて孔を形成し、折り曲げ部２６の切り込み２７をコの字の開口部分で折り曲げて片を形成して、前記片を孔に挿入することで、折り曲げ部２６と翼状部２４とが係止される構成となっている。また、翼状部２４が立設された状態において、図２に示した、翼状部２４下端に設けられた突設部２８が、下壁部１８に設けられた孔部２９と嵌合する。このようにして、側壁部２０は、面取りされた下壁部１８の外周に沿って、中央に向かう傾斜姿勢に立設される構成となっている。すなわち、該下壁部１８と連設される折り曲げ部２６は、翼状部２４の係止部となっている。
【００２７】
また、図５に示したように、前記側壁部２０の上下方向中途部には、上方に開口する略コの字状の切り込みが設けられており、該切り込み部をセード１２側に持ち上げることで、セード１２の浮き上がり防止片３１が形成される。
【００２８】
また、図２に示したように、前記主仕切り板７の下壁部１８の中央部は、四隅が面取りされた四角形状に切り取られて、包装用アダプタ８が嵌合する孔３２が形成されている。略四角形状に切り取られたダンボール紙は、一つの隅部が尖った形状となるよう一部が切り取られて、図１に示したように、リモコン置き場用板部材３３として利用される。
【００２９】
すなわち、前記リモコン置き場用板部材３３は、主仕切り板７が包装箱３に入れられた状態において、包装箱３の四隅の一つに配置され、リモコン置き場３４を形成する。すなわち、リモコン置き場３４は、重なり合った下壁部１８の折り曲げ部２６と側壁部２０と、前記リモコン置き場用板部材３３との間に形成される。リモコン置き場３４を形成する下壁部１８の折り曲げ部２６と側壁部２０とには、図２に示したように、前記係止部２７、４４の代わりに、孔部３５、４５が設けられている。該孔部３５、４５に、リモコン置き場用板部材３３の尖った部分３３ａが外側下方から差し込まれることで、図１に示したように、下壁部１８の折り曲げ部２６と側壁部２０とが立設された状態で固定される。
【００３０】
また、図２に示したように、主仕切り板７の下壁部１８の一部３７が切り取られて、取付アダプタ１３の掴み片１５のスライドを阻止するロック部材３６が形成されている。該ロック部材３６の中央には、掴み片１５が嵌合する孔部３８が設けられている。
このように、下壁部１８の一部分を切り抜いて、リモコン置き場用板部材３３や、ロック部材３６を構成することで、包装装置１を少ない材料で構成することができる。
【００３１】
そして、主仕切り板７の下壁部１８の縁において、側壁部２０の配置されない部分に、切り込み３９が形成されており、該切り込み３９に手を差し込んで、拘束保持具５の包装箱３への出し入れを行うことができる。
【００３２】
本実施例において、前記包装用アダプタ８は下面開放のパルプモールド成形品であり、外側が照明器具本体１１の中央に突出する凸部９ｂに嵌合し、内側に取付アダプタ１３が嵌合する形状に形成されている。すなわち、図４に示したように、包装用アダプタ８の中央部には、上方に向かって四つの取付アダプタ把持部４０・４０・４０・４０が円周上に突出しており、円柱状に構成される取付アダプタ１３は、該取付アダプタ把持部４０・４０・４０・４０に挟持される構成となっている。
【００３３】
また、取付アダプタ把持部４０・４０・４０・４０及びその基部は、照明器具本体１１の中央に突出する凸部９ｂの内側に、下方から嵌合する構成となっている。なお、図４、図８に示したように、前記取付アダプタ把持部４０・４０・４０・４０の上面４２は、外側から支持されて、水平に形成されており、取付アダプタ把持部４０・４０・４０・４０の内側に開放されている。
【００３４】
また、前記取付アダプタ把持部４０・４０・４０・４０同士の間には、取付アダプタ１３の下方への移動を規制する取付アダプタ支持部４１・４１・４１・４１が、外側からのみ支持されて、水平に形成されており、取付アダプタ支持部４１・４１・４１・４１は、内側に開放されている。すなわち、包装用アダプタ８は、平面視において、円周上に、取付アダプタ把持部４０と取付アダプタ支持部４１が、連続して交互に配置されており、取付アダプタ１３は、取付アダプタ把持部４０によって、周囲を把持され、取付アダプタ支持部４１によって、底部を支持される構成となっている。このように構成することで、包装用アダプタ８は、パルプモールドの押出成形によって形成することが可能となっている。
【００３５】
そして、照明器具４包装状態において、図８に示したように、取付アダプタ１３の前記嵌合片１４・１４は、包装用アダプタ８の取付アダプタ把持部４０の上面４２と、その上に載置された照明器具本体１１の円板状の基板部９の凸部９ｂを挟んで固定する。すなわち、包装用アダプタ８の取付アダプタ把持部４０の上面４２は、前記取付アダプタ１３を取付アダプタ支持部４１・４１・４１・４１に支持させた状態において、取付アダプタ１３の嵌合片１４の、上辺１４ａと下片１４ｂとの間に側面視略コの字形状に形成された把持部１６の、下面側１６ａに位置する高さに設定されている。また、前記取付アダプタ把持部４０は、前記嵌合片１４の幅と略同じ幅に設定されている。よって、嵌合片の下片１４ｂは、取付アダプタ把持部４０内に収納されることとなり、照明器具４包装状態において、取付アダプタ１３は、包装用アダプタ８内から抜けることも、包装用アダプタ８内を回転することもできない。
【００３６】
そして、前記包装箱３は、図１に示したように、側面に開閉可能なフラップ４３・４３を持ち、フラップ４３・４３を閉じて粘着テープなどで閉じるものである。
【００３７】
このように、包装箱３、主仕切り板７、包装用アダプタ８で構成される包装装置１は、使用に供するまでは、展開状態のままで保管、輸送されるもので、使用に際して所定の形態に組み立てられるものである。その展開状態から、所定の形態に組み立てられる操作及び包装状態について以下に説明する。
【００３８】
まず、図２に示したように、主仕切り板７の中央の孔３２に、包装用アダプタ８を下方より挿入して、主仕切り板７と包装用アダプタ８を嵌合させる。
【００３９】
次に、該包装用アダプタ８に、取付アダプタ１３を嵌合させる。すなわち、掴み片１５・１５の操作により、嵌合片１４・１４をスライドさせて取付アダプタ１３内部に収納した状態で、取付アダプタ１３を包装用アダプタ８に挿入する。そして、付勢力により、嵌合片１４・１４が取付アダプタ１３側面に突出することで、包装用アダプタ８が、図７、図８に示した嵌合片１４・１４の把持部１６に挟まれて固定される構成となっている。
【００４０】
次に、包装用アダプタ８に挿入された取付アダプタ１３と、照明器具本体１１を嵌合させる。すなわち、取付アダプタ１３の掴み片１５・１５の操作により、嵌合片１４・１４をスライドさせて取付アダプタ１３内部に収納した状態で、照明器具本体１１の、円板状の基板部９中央の孔部９ａに、取付アダプタ１３を挿入する。そして、付勢力により、嵌合片１４・１４が取付アダプタ１３側面に突出することで、図８に示したように、照明器具本体１１の基板部９と、包装用アダプタ８とが、嵌合片１４・１４の把持部１６・１６に挟まれて固定される構成となっている。
【００４１】
次に、嵌合片１４・１４を操作する掴み片１５・１５のスライド移動を規制するロック部材３６を、取付アダプタ１３上部に取り付ける。すなわち、ロック部材３６の中央の孔部３８に、掴み片１５・１５が嵌合するように、ロック部材３６を取付アダプタ１３の上方に載せ、粘着テープ等を用いて固定する。掴み片１５・１５のスライド移動が、ロック部材３６によって規制されることで、嵌合片１４・１４のスライド移動が規制される。
【００４２】
このように、ロック部材３６によってスライド移動が規制されて、確実に取付アダプタ１３側面より突出した状態に保たれた嵌合片１４・１４によって、包装用アダプタ８と照明器具本体１１は固定される。なお、本実施例においては、ロック部材３６を用いて、確実に嵌合片１４・１４を固定する構成としたが、このロック部材３６を用いなくても、嵌合片１４・１４の付勢力のみで、包容用アダプタ８と照明器具本体１１を固定することもできる。
【００４３】
そして、図２に示したように、セード１２を照明器具本体１１の上に載せる。なお、セード１２には、セード１２を照明器具本体１１の上に載せる際に、照明器具本体１１の嵌合突起と、セード１２の受け金具とが干渉しないように、セード１２の位置決めするための印（図示せず）が付されている。
【００４４】
次に、図５に示したように、主仕切り板７の側壁部２０・２０を立設させていく。
すなわち、図２に示した、側壁部２０の立ち上げ部２３を、図３、図５、図６に示したように、折り目１９に沿って立ち上げて、該側壁部２０の翼状部２４を、下壁部１８の折り目２５に沿うように折り曲げて、翼状部２４の下部の突出部２８を、下壁部１８の孔部２９に挿入する。そして、下壁部１８の折り曲げ部２６を、折り目２５に沿って立ち上げて、翼状部２４と重ね合わせ、重なりあった切り込み２７・４４同士を、内部側に折り込むことで、下壁部１８の折り曲げ部２６と翼状部２４とが係合し、翼状部２４が立設した状態に固定される。なお、リモコン置き場３４を形成する翼状部２４には、切り込み２７・４４がないため、該翼状部２４と下壁部１８の折り曲げ部２６とだけでは、係合することができない。よって、この際には、そのままの状態で置いておく。
【００４５】
このようにして側壁部２０は、内側に向かう傾斜姿勢に立設されて、セード１２に当接して、セード１２を固定する。そして、図５に示した、側壁部２０の浮き上がり防止片３１を立ち上げる。すなわち、側壁部２０とセード１２との接触面積が少ない場合には、セード１２を押さえつける力を確保することができず、セード１２が照明器具本体１１から浮き上がる可能性がある。
【００４６】
しかし、浮き上がり防止片３１を立ち上げることで、該浮き上がり防止片３１が、セード１２を上方から押さえることができ、セード１２の浮き上がりを防止することができる。なお、本実施例における包装装置１は、前記浮き上がり防止片３１を備える構成としたが、照明器具のセードの形状によっては、浮き上がり防止片を必要としない。
【００４７】
このようにして、図１に示したように、照明器具４を固定した拘束保持具５を、側壁部２０が立設されない面から、包装箱３内に収納する。包装箱３内において、側壁部２０の上部は、包装箱３の上面３ｂに接している。主仕切り板７の下壁部１８の周囲は、面取りされた四隅以外の部分において、包装箱３の側面３ｃと接している。
【００４８】
そして、リモコン置き場３４となる下壁部１８の折り曲げ部２６も、折り目２５に沿って立ち上げて、翼状部２４と重ね合わせ、リモコン（図示せず）を挿入し、リモコン置き場用板部材３３の尖った部分３３ａを、外側下方から孔部３５に差し込んで、翼状部２４の孔部４５まで貫通させる。このようにして、下壁部１８の折り曲げ部２６と翼状部２４とが、リモコン置き場用板部材３３に外側下方から支えられて、立設した状態に固定される。このようにして、翼状部２４とリモコン置き場用板部材３３との間に、リモコン置き場３４が形成される。
【００４９】
このようにして、照明器具４の取付アダプタ１３及び照明器具本体１１は、包装箱３内に固定される主仕切り板７の、下壁部１８に固定された包装用アダプタ８と嵌合することで、包装箱３内に固定される。そして、照明器具４のセード１２は、主仕切り板７の側壁部２０・２０に押さえられることで、包装箱３内に固定される。
【００５０】
前記セード１２は、内側に向かう傾斜姿勢に立設される側壁部２０・２０に押さえつけられて固定されるため、セード１２の包装箱３内における遊び部分がない。よって、包装箱３がどのように置かれた場合でも、セード１２が包装箱３内において傾くことがなく、包装箱３内でセード１２が傾くことで、セード１２の一部に荷重がかかり、セード１２が変形することを防止することができる。
【００５１】
また、このように、傾斜した姿勢の側壁部２０・２０によって、包装箱３の上部からかかる力を、包装箱３下部の四隅に、分散して導くことができる。すなわち、セード１２に過度な荷重がかかることを、防止することができる。
【００５２】
また、主仕切り板７の側壁部２０・２０の間であって、側壁部２０のない部分から、照明器具４が固定された拘束保持具５を挿入することで、主仕切り板７の側壁部２０のある部分が、包装箱３内において、フラップ４３・４３のない側面３ｃ側に配置されることとなる。すなわち、包装箱３は、包装状態において、フラップ４３・４３のある面は、フラップ４３・４３が重なりあうことで二重となるが、フラップ４３・４３のない側面３ｃは一重であるため、強度を確保することができない。
【００５３】
しかし、このように、主仕切り板７を配置することで、包装箱３のフラップ４３・４３のない部分に、主仕切り板７の側壁部２０・２０が配置されることとなるため、照明器具４の周囲を囲う包装箱３の四面全てに、二重の壁が配置されることとなり、包装装置１の強度を確保することができる。
【００５４】
また、包装箱３の四隅に、平面視略三角形状の空間ができるため、外力が加わった際に、該空間が外力を受け止めて包装箱３が変形することで、内部に収納される照明器具４を保護することができる。
【００５５】
このように、包装装置１を構成することで、照明器具４を天井に取り付けた状態、すなわち安定した状態で包装することができる。使用に際しては、所定位置を折り曲げて係止させる操作のみで、ステープルや接着剤等の接合手段を要することなく、簡単に所期する形態に組み立てることができる。
【００５６】
また、包装箱３の容積を小さく、また、使用するダンボールの面積を小さく構成することができる。たとえば、同一の照明器具を包装する場合、図９乃至図１１に示した従来の一実施例に係る包装装置１０１においては、包装箱１０３の容積が２．７０１平方メートルで、使用するダンボールの面積が２．７８８平方メートルであるのに対し、本発明の一実施例に係る包装装置１においては、包装箱３の容積が１．８８９平方メートル、使用するダンボールの面積が１．９６８平方メートルとなる。
【図面の簡単な説明】
【００５７】
【図１】本発明の一実施例に係る包装装置の斜視図。
【図２】同じく分解斜視図。
【図３】主仕切り板の斜視図。
【図４】包装用アダプタに取付アダプタを取り付けた状態を示した図。
【図５】照明器具に拘束保持具を取り付ける状態を示した側面図。
【図６】照明器具に拘束保持具を取り付けた状態を示した側面図。
【図７】照明器具を拘束保持具の中央に固定する状態を示した側面図。
【図８】照明器具を拘束保持具の中央に固定した状態を示した断面図。
【図９】従来の一実施例に係る包装装置の包装箱に照明器具を拘束した状態を示した図。
【図１０】従来の一実施例に係る包装装置の包装箱に照明器具本体を拘束した状態を示した図。
【図１１】従来の一実施例に係る包装装置を分解した状態を示した図。
【符号の説明】
【００５８】
１    包装装置
２    開口
３    包装箱
３ａ  底面
４    照明器具
５    拘束保持具
７    主仕切り板
８    包装用アダプタ
９    基板部
１０  蛍光管
１１  照明器具本体
１２  セード
１３  取付アダプタ
１８  下壁部
１９  折り目
２０  側壁部
２２  折り目
２３  立ち上げ部
２４  翼状部
２５  折り目
２６  折り曲げ部
２７  切り込み
３５  孔部
４０  取付アダプタ把持部
４１  取付アダプタ支持部
４４  切り込み
４５  孔部
【図１】
0005167458.tif 000002
【図２】
0005167458.tif 000003
【図３】
0005167458.tif 000004
【図４】
0005167458.tif 000005
【図５】
0005167458.tif 000006
【図６】
0005167458.tif 000007
【図７】
0005167458.tif 000008
【図８】
0005167458.tif 000009
【図９】
0005167458.tif 000010
【図１０】
0005167458.tif 000011
【図１１】
0005167458.tif 000012